(57)【特許請求の範囲】
【請求項１】
植物の生長に必要な土および肥料を収容するための内部スペースを備えているおもり部と該おもり部の上部に取り付けられる本体部と、該本体部の上部に回転可能に取り付けられる上蓋部とを備えた植物保持具であって、
前記本体部は、天板部と該天板部の周縁から垂下する筒状側壁部とからなり、その下端側は開口されており、
前記上蓋部は、天壁部と該天壁部の周縁から垂下する筒壁部とからなり、
前記本体部の前記天板部および前記上蓋部の前記天壁部には、植物を保持する第１挿入穴および第２挿入穴が前記本体部および前記上蓋部の各中心に対してそれぞれ偏心した状態で設けられていることを特徴とする植物保持具。
【請求項２】
前記本体部の前記天板部上面の外周部には複数の本体部側ラチェット爪が形成される一方、前記上蓋部の前記天壁部下面の外周部には該本体部側ラチェット爪と係合する複数の上蓋部側ラチェット爪が形成され、該上蓋部側ラチェット爪と前記本体部側ラチェット爪はラチェット機構を構成する請求項１に記載の植物保持具。
【請求項３】
前記複数の本体部側ラチェット爪または前記複数の上蓋部側ラチェット爪のうちの一方は、周方向に均等間隔で配設され、他方は、不等間隔で配設されている請求項２に記載の植物保持具。
【請求項４】
前記第１挿入穴を規定する前記本体部の天板部の内壁面または前記第２挿入穴を規定する前記上蓋部の天壁部の内壁面の内の少なくとも一方の内壁面には鋸歯が形成されている請求項１乃至３の何れかに記載の植物保持具。
【請求項５】
前記おもり部は鉄またはその合金から作られており、該おもり部の底部が先細形状を成している請求項１乃至４の何れかに記載の植物保持具。
【発明の詳細な説明】
【技術分野】
【０００１】
本発明は、植物保持具、特に人や機械が入り難い山間部の傾斜面や崩壊地に、様々な径の植物を航空機から投下して安定に植え付けることを可能にし、崩壊地の再生緑化率を好適に向上させることが可能な植物保持具に関するものである。
【背景技術】
【０００２】
人や機械が入り難い、土砂崩れなどによる山間部の崩壊地に、航空機から、緑樹の苗木または種を投下または散布し、緑樹を繁殖・再生緑化し、これにより土砂流出を防ぐ、いわゆる航空緑化工法が知られている。
航空機から苗木を投下するための航空緑化用容器としては、鉄網、あるいは植物性又はプラスチックその他の物質をカゴ又は網状に形成したものから製作され、先端部（頂点）を鉛直下向きとした逆円錐状容器であって、先端部に錘を搭載した航空緑化用容器が知られている（特許文献１を参照。）。
また、その他の航空緑化用容器として、段ボールを素材として円錐筒状または多角錐筒状の苗ポット本体を形成し、該苗ポット本体に保水体と肥料体を内装して苗ポットを形成すると共に、上記苗ポットの外周面に螺旋羽根体を突成した空中投下用の苗ポットが知られている（特許文献２を参照。）。
また、その他の航空緑化用容器として、苗木および土壌を収容する筒を紙又はブリキによって逆円錐状に形成し、更にその筒の外周面に多数の小穴を穿設し、更にその筒の上端開口に、中央に円孔を有する割型フタを嵌合させることから成る樹木植栽筒が知られている（特許文献３を参照。）。
【先行技術文献】
【特許文献】
【０００３】
【特許文献１】特開昭４９−１８６１５号公報
【特許文献２】特許第２５５３４１９号公報
【特許文献３】特開昭５１−１２２９０１号公報
【発明の開示】
【発明が解決しようとする課題】
【０００４】
上記文献１の航空緑化用容器は、苗木の根部を押さえる押え手段を備えていない。そのため、航空機から投下された場合、苗木が落下する途中で空気抵抗（風圧）によって容器または土壌から抜け出る虞がある。従って、投下した苗木の本数に対して崩壊地等の再生緑化率があまり向上しないという問題がある。
また、上記文献２の航空緑化用容器も、苗木の根部を押さえる押え手段を備えていないため、苗木が落下途中で風圧によって土壌または容器から抜け出る虞がある。更に、容器本体がダンボールで作られているため、容器が土壌に衝突後、容器が変形し土中深くに入り込めず、その結果、苗木が土中に安定して根を下ろせない虞があり、上記文献１の航空緑化用容器と同様に、崩壊地等の再生緑化率があまり向上しないという問題がある。
このように、上記文献１および文献２の航空緑化用容器は、どれも落下中の風圧および着地時の衝撃の影響を受けやすく、投下した苗木の本数に対して崩壊地等の再生緑化率が必ずしも高くないという問題がある。
他方、上記文献３の樹木植栽筒の場合、苗木の根元を保持する割型フタを備えるため、苗木が落下途中で空気抵抗によって筒または土壌から抜け出ることは少なくなると考えられる。
しかし、上記樹木植栽筒の場合、割型フタの孔径は一定であるため、苗木の径がフタの孔径よりも大きい場合は、苗木が収まった筒に割型フタを取り付けることができなくなる。つまり、上記樹木植栽筒の場合、フタの孔径より大きい苗木は筒内に収容することができないため、航空機から投下することができないという問題がある。その結果、崩壊地等に様々な径の苗木を植え付けることができないという問題がある。
そこで、本発明は上記従来の問題点に鑑み考案されたものであって、その目的は人や機械が入り難い山間部の傾斜面や崩壊地に、様々な径の苗木を航空機から投下して安定に植え付けることを可能にし、崩壊地の再生緑化率を好適に向上させることが可能な植物保持具を提供することである。
【課題を解決するための手段】
【０００５】
前記目的を達成するため請求項１に記載の植物保持具は、植物の生長に必要な土および肥料を収容するための内部スペースを備えているおもり部と該おもり部の上部に取り付けられる本体部と、該本体部の上部に回転可能に取り付けられる上蓋部とを備えた植物保持具であって、
前記本体部は、天板部と該天板部の周縁から垂下する筒状側壁部とからなり、その下端側は開口されており、
前記上蓋部は、天壁部と該天壁部の周縁から垂下する筒壁部とからなり、
前記本体部の前記天板部および前記上蓋部の前記天壁部には、植物を保持する第１挿入穴および第２挿入穴が前記本体部および前記上蓋部の各中心に対してそれぞれ偏心した状態で設けられていることを特徴とする。
上記植物保持具では、植物の生長に必要な土および肥料を収容するための内部スペースを備えているため、植物が未だ栄養素を取り込む根を十分に有していない場合であっても、容器内部から生長するために必要な栄養素を得ることができるようになる。これにより、植物は容器内部である程度生長した後、投下エリアに根を下ろし繁殖するようになるため、投下エリアの再生緑化率の向上に寄与するようになるとともに、植物は、偏心した第１挿入穴と第２挿入穴の重複開口部分に締め付け・保持されることになる。他方、上蓋は本体部に対し回転可能に嵌合しているため、上蓋が回転することにより、その重複開口部分を拡げる或いは狭くすることが可能となり、様々な径の植物を収容することができるようになる。
【０００６】
請求項２に記載の植物保持具では、前記本体部の前記天板部上面の外周部には複数の本体部側ラチェット爪が形成される一方、前記上蓋部の前記天壁部下面の外周部には該本体部側ラチェット爪と係合する複数の上蓋部側ラチェット爪が形成され、該上蓋部側ラチェット爪と前記本体部側ラチェット爪はラチェット機構を構成することとした。
上記植物保持具では、本体部側ラチェット爪と上蓋部側ラチェット爪によってラチェット機構が構成されるため、植物を第１挿入穴と第２挿入穴の重複開口部分に一旦締め付けた後は、その締め付け状態が好適に保持されるようになる。従って、偏心した上記第１挿入穴および第２挿入穴と、本ラチェット機構によって様々な径の植物を上記重複開口部分に安定に締め付け・保持することができるようになる。
【０００７】
請求項３に記載の植物保持具では、前記複数の本体部側ラチェット爪または前記複数の上蓋部側ラチェット爪のうちの一方は、周方向に均等間隔で配設され、他方は、不等間隔で配設されていることとした。
上記植物保持具では、本体部側ラチェット爪または上蓋部側ラチェット爪の一方を周方向に均等間隔に配設し、他方を不等間隔で配設することにより、後述するように、例えば各上蓋部側ラチェット爪の直近の本体部側ラチェット爪に到る各距離が、本体部側ラチェット爪の間隔内に好適に分散され、そして上蓋が戻る際、これらの各距離の中で一番小さい値（最小値）に対応するいずれかの上蓋部側ラチェット爪が必ず最初に当たる（ぶつかる）ようになり、上蓋（爪）の戻り量が好適に軽減されるようになる。その結果、第１挿入穴と第２挿入穴の重複開口部分に植物を安定に締め付け・保持することができるようになる。
【０００８】
請求項４に記載の植物保持具では、前記第１挿入穴を規定する前記本体部の天板部の内壁面または前記第２挿入穴を規定する前記上蓋部の天壁部の内壁面の内の少なくとも一方の内壁面には鋸歯が形成されていることとした。
上記植物保持具では、少なくとも一方の挿入穴の内壁面には鋸歯が形成されることにより、上記重複開口部分に植物を安定に締め付け・保持することができるようになる。
【０００９】
請求項５に記載の植物保持具では、前記おもり部は鉄またはその合金から作られており、該おもり部の底部が先細形状を成していることとした。
上記植物保持具では、おもり部が鉄またはその合金から作られているため、鉄網又はダンボール等から成る植物保持具に比べ、比重が大きく、剛性・強度が高くなる。従って、植物保持具を航空機から投下した場合、植物保持具は落下中の風圧および着地時の衝撃の影響を受けにくくなり、投下エリアに土中深く入り込むことができるようになり、植物が安定に土中に根を下ろすことができるようになる。その結果、山間部の崩壊地等の再生緑化率が好適に向上するようになる。また、上記植物保持具では、おもり部が細形状を成しているため、植物保持具が航空機から投下された場合、投下エリアの土中深くに入り込むことができるようになり、植物が安定に土中に根を下ろすことができるようになる。
【発明の効果】
【００１０】
本発明の植物保持具によれば、本体部の天板部および上蓋部の天壁部に挿入穴が各中心から偏心した状態でそれぞれ設けられ、更に、対向する天壁部と天板部に複数の上蓋部側ラチェット爪と複数の本体部側ラチェット爪がそれぞれ設けられ、ラチェット機構を構成している。そのため、上蓋を回転させて、植物を両偏心穴の重複開口部分に一旦締め付けた後は、その締め付け状態が好適に保持されるようになる。つまり、本植物保持具によれば、様々な径の植物を安定に締め付け・保持することができ、航空機から落下させた場合においても、落下中および着地時の衝撃により植物が保持具から外れることがないのである。
他方、本発明の植物保持具によれば、おもり部は、鉄等の金属製で先端が先細形状を成し、内部に土壌・肥料を収容する内部スペースを有している。そのため、植物を締め付け・保持した状態で航空機から落下させた場合、植物保持具は落下中の風圧および着地時の衝撃の影響を受けにくく、崩壊地等の投下エリアに土中深く入り込むことができるようになり、植物が安定に土中に根を下ろすことができるようになる。
このように、本発明の植物保持具によれば、航空緑化用容器に適用した場合、崩壊地等に様々な径の植物を安定に植え付けることができるようになるため、崩壊地等の再生緑化率を好適に向上させることが可能になる。
【図面の簡単な説明】
【００１１】
【図１】本発明の植物保持具の本体部、上蓋部、固定リングを示す要部説明図である。
【図２】本発明に係る本体部を示す説明図である。
【図３】図２(a)のＡ−Ａ断面図である。
【図４】本発明に係る上蓋部を示す説明図である。
【図５】本発明の植物保持具による植物の締め付け・保持状態を示す説明図である。
【図６】本発明に係る固定リングを示す説明図である。
【図７】本発明の植物保持具を示す半断面説明図である。
【図８】植物を保持した状態の植物保持具を示す全断面説明図である。
【図９】本発明に係る上蓋部側ラチェット爪および本体部側ラチェット爪の各配列を示す展開図である。
【図１０】上蓋部が図９の状態から９°だけ締め付け方向に移動した時の、上蓋部側ラチェット爪および本体部側ラチェット爪の各配列を示す展開図である。
【図１１】上蓋部の締め付け方向（Ｘ）への移動量に対する、各上蓋部側ラチェット爪の直近となる本体部側ラチェット爪に到る距離（Ｙ）との相関関係を示す説明図である。
【発明を実施するための形態】
【００１２】
以下、図に示す実施の形態により本発明をさらに詳細に説明する。なお、これにより本発明が限定されるものではない。
【００１３】
図１は、本発明の植物保持具の本体部、上蓋部、固定リングを示す説明図である。なお、ここでは保持される植物としては、例えば、樹木、竹等とする。
この植物保持具１００は、後述するおもり部４０（図７）に取り付けられる本体部１０と、本体部１０に回転可能に同軸で取り付けられ、本体部１０と協働して植物を締め付け・保持する上蓋部２０と、本体部１０とおもり部４０を固定する固定リング３０とを具備して構成される。
【００１４】
なお、詳細については、図２および図４を参照しながら後述するが、本体部１０の天板に植物を通すために開けられた第１挿入穴と、上蓋部２０の天板に植物を通すために開けられた第２挿入穴は、ともに本体部１０および上蓋部２０の各中心に対してそれぞれ偏心した状態で開けられている。そのため、保持される植物は、第１挿入穴と第２挿入穴の重複開口部分で保持されることになる。
【００１５】
また、上蓋部２０は、本体部１０に回転可能に取り付けられているため、重複開口部分が狭く（小さく）なる方向に或いは広くなる（大きく）方向に上蓋部２０を回転させることにより、様々な径の植物を重複開口部分に保持することが可能となる。
【００１６】
更に、本体部１０および上蓋部２０の対向する各天板部には本体部側ラチェット爪と、これらと係合する複数の上蓋部側ラチェット爪がそれぞれ形成され、これらがラチェット機構を成している。従って、上蓋部２０を締め付け方向に回転させて植物を第１挿入穴と第２挿入穴の重複開口部分に一旦締め付けた後は、その締め付け状態が緩まないように保持することが可能となる。以降、各構成について説明する。
【００１７】
図２−３は、本発明に係る本体部１０を示す説明図である。なお、図２(a)はその上面図であり、同(b)はその正面図である。また、図３は、図２(a)のＡ−Ａ断面図である。
本体部１０は、天板部１１と天板部１１の周縁から下方に延びる筒状の本体側壁部１２から成っており、本体側壁部１２の下端側は開口された状態となっている。本体天板部１１には、植物を保持する第１挿入穴１１aと、後述する上蓋部２０の天壁部２１の下面から垂下する複数の上蓋部側ラチェット爪２１ｂと協働してラチェット機構を構成する、天板部１１の上面に形成された複数の本体部側ラチェット爪１１ｂがそれぞれ設けられている。このラチェット機構の詳細については、図９−１０を参照しながら後述する。
【００１８】
第１挿入穴１１aは、植物が傾くのを防ぐため、本体天板部１１の中心に対し偏心した状態で設けられている。また、植物を一旦締め付けた後、植物が第１挿入穴１１aに安定に保持され、穴から抜け出しにくくなるように、第１挿入穴１１aを規定する天板部１１の内壁面には軸方向に延びる鋸歯１１cが周方向に複数形成されている。
【００１９】
本体部側ラチェット爪１１ｂは、天板部１１の外周縁側に、例えば１０°の等間隔で設けられ、ラチェット爪の長さは中心角換算で例えば５°である。従って、本実施例での本体部側ラチェット爪１１ｂの総数は、３６個（＝３６０°÷１０°）である。また、本体部側ラチェット爪１１ｂの形状は、一定方向に傾斜した傾斜面と垂直方向に延びる直立面、それらを連続に繋ぐ水平上面とからなる略台形形状となっていることが好ましい。
【００２０】
図２(b)に示すように、本体側壁部１２の上部外面には、上蓋部２０の上蓋突起部２２a（図４(b)）と嵌合する本体上溝部１２aが周方向に設けられ、そして、本体側壁部１２の下部外面には、後述する固定リング３０の周状突起部３１（図５）と嵌合する本体下溝部１２ｃが周方向に設けられている。そして、本体側壁部側面には、植物の根が張り出すための貫通口または二酸化炭素、酸素を取り込むために通気口あるいは排水口として機能する複数のスリット１２ｂが本体側壁部１２の下端から上方にむかって軸方向に延びている。
【００２１】
図３に示すように、本体側壁部１２の上部内周面には、補強リブ１２dが周方向に沿って内周面に直交する形態で設けられている。この補強リブ１２dによって本体側壁部１２上部の強度・剛性が確保され、上蓋部２０を締め付け方向に回転させる場合に、本体部側ラチェット爪１１ｂが上蓋部側ラチェット爪２１ｂを受け止め、植物を安定に締め付け・保持することができるようになる。
【００２２】
図４は、本発明に係る上蓋部２０を示す説明図である。なお、図４(a)はその上面図であり、同(b)はその半断面図であり、同(c)はその下面図である。
【００２３】
上蓋部２０は、天壁部２１と天壁部２１の周縁から下方に延びる上蓋筒壁部２２から成っており、側壁部の下端側は開口された状態となっている。図４(a)に示すように、天壁部２１には、第２挿入穴２１aが、様々な径の植物を安定に締め付けることができるように、天壁部２１の中心に対し偏心した状態で設けられている。また、植物を一旦締め付けた後、植物が第２挿入穴２１aに安定に保持され、穴から抜け出しにくくなるように、第２挿入穴２１aを規定する天壁部２１の内壁面にも、軸方向に延びる鋸歯２１cが周方向に複数形成されている。また、上蓋筒壁部２２の下部内面には、前記本体上溝部１２aに嵌合する上蓋突起部２２ａが周方向に形成されている。
【００２４】
第２挿入穴２１aは、対向する本体部１０側の第１挿入穴１１aと同じく偏心した状態で設けられている。そのため、上蓋部２０が本体部１０に嵌合した状態では、植物は、図５(b)に示すように、第１挿入穴１１aと第２挿入穴２１aの重複開口部分に締め付け・保持されることになる。なお、両穴の偏心度は、本実施例では等しくなっているが、異なっていても良い。
【００２５】
図４(b)に示すように、天壁部２１の内側外周部には、本体天板部１１に形成された複数の本体部側ラチェット爪１１ｂと協働してラチェット機構を構成する複数の上蓋部側ラチェット爪２１ｂが設けられている。このラチェット機構により、上蓋部２０は一方向にしか回転することが出来なくなり、上蓋部２０を回転させて植物を上記重複開口部分に一旦締め付けた後は、その締め付け状態が好適に保持されるように構成されている。なお、上蓋部側ラチェット爪２１ｂについては、図４(c)に示されるように、不等間隔（不均一間隔）で配設されている。本実施例では、例えば、反時計回りに４２°、４５°、４８°、４５°、４８°、４５°、４２°、４５°という不等間隔で、８個設けられている。また、上蓋部側ラチェット爪２１ｂの周方向長さは中心角換算で例えば３０°程度が好ましい。
【００２６】
図５は、本発明の植物保持具１００による植物５０の締め付け・保持状態を示す説明図である。なお、図５(a)は、植物５０を締め付け・保持する前の状態（第１挿入穴１１aと第２挿入穴２１aが同心の場合）を示し、同(b)は、植物５０を締め付け・保持している状態（第１挿入穴１１aと第２挿入穴２１aが互いに偏心している場合）を示している。
図５(a)に示すように、第１挿入穴１１aと第２挿入穴２１aの重複開口部分の直径はφＤと最大であり、植物５０の直径φｄに対し、かなり大きくなっている。この状態では、植物５０は各挿入穴にタイトにフィットしていないため、挿し木５０に風圧等が作用する場合は、植物５０が倒れ或いは挿入穴から抜け出る可能性がある。
しかし、図５(b)に示すように、上蓋部２０を締め付け方向に回転させて、重複開口部分を狭くすることにより、植物５０を両穴の重複開口部分に締め付け・保持することができるようになる。このように、本発明の植物保持具１００によって保持される植物５０の直径φｄは、０＜φｄ＜φＤとなり、本植物保持具１００によって様々な径の植物５０を締め付け・保持することができるようになる。
【００２７】
図６は、本発明に係る固定リング３０を示す断面説明図である。
この固定リング３０は、おもり部４０に本体部１０を固定するために使用される。従って、内側の内周面には本体側壁部１２の本体下溝部１２cと嵌合する周状突起部３１を備えている。
【００２８】
図７は、本発明の植物保持具を示す説明図である。
この植物保持具１００は、航空緑化工法において使用されるおもり部４０に上記本体部１０、上蓋部２０、固定リング３０を組み合わせたものである。
おもり部４０は、航空機から投下された時に、土中深く入り込むことができるように、鉄製で先端部が先細形状（円錐台形状）を成し、更に、その内部には挿し木の生長を促進する土壌を収納可能な内部スペース４０aを有している。
【００２９】
図８は、植物５０を締め付け・保持した状態の植物保持具１００を示す断面説明図である。
おもり部４０の内部には、植物５０の生長を促進する土壌６０が充填され、その土壌６０中に植物５０が埋め込まれ、その植物５０は第１挿入穴１１aおよび第２挿入穴２１aを通され、図５(b)に示すように、第１挿入穴１１aおよび第２挿入穴２１aの重複開口部分に締め付け・保持されている。
【００３０】
上記本体部１０、上蓋部２０および固定リング３０は、生分解性樹脂から作られていることが好ましい。従って、上記植物保持具１００が、航空機から投下され、土中深く入り込んだ後は、上記本体部１０、上蓋部２０および固定リング３０は土壌の微生物によって分解されて水と二酸化炭素となって土壌に同化しその形状が消滅してしまう。このように、上記植物保持具１００は、航空機から投下されて土中深く入り込んだ後、その大部分がじきに消滅してしまうため、植物５０の生長を阻害しないという特性を持っている。
【００３１】
図９は、本発明に係る上蓋部側ラチェット爪２１ｂおよび本体部側ラチェット爪１１ｂの各配列を示す展開図であり、図５（ａ）に示す上蓋部２０の第１挿入穴１１ａ及び本体部１０の第２挿入穴２１ａとが同心の場合における各ラチェット爪の配置を示すものである。なお、ここでは、各ラチェット爪間隔及びラチェット爪長さに対応する各中心角（°）を、各ラチェット爪長さ及びラチェット爪間隔として表示した。
先ず、本体部１０側の本体部側ラチェット爪１１ｂは、本実施例では等間隔に１０°間隔（周期）及び周方向長さ５°で３６個設けられている。説明の都合上、各ラチェット爪１１ｂについては、改めて番号a1，a2，・・・,a36を付与することにする。
【００３２】
他方、本体部側ラチェット爪１１ｂのa1，a2，・・・,a36に対し相対移動する上蓋部側ラチェット爪２１ｂは、４２°,４５°,４８°,４５°,４８°,４５°,４２°,４５°の不等間隔で８個設けられている。なお、後述するように、上蓋部側ラチェット爪２１ｂはランダムに不等間隔とされているのではなく、各上蓋部側ラチェット爪２１ｂの直近の各本体部側ラチェット爪１１ｂに到る各距離が、本体部側ラチェット爪１１ｂのラチェット爪間隔である０°〜１０°の範囲に適度に分散するように不等間隔で設けられている。ここで、上蓋部側ラチェット爪２１ｂについても本体部側ラチェット爪１１ｂと同様に、説明の都合上、改めて番号b1,b2,・・・,b8を付与することにする。
【００３３】
ところで、静止している本体部側ラチェット爪１１ｂのa1，a2，・・・,a36はその間隔が１０°と一定である。従って、上蓋部２０が回転している時（上蓋部２０が締め付け方向に移動している時）の上蓋部側ラチェット爪２１ｂと本体部側ラチェット爪１１ｂとの幾何学的関係（相対位置関係）は、１０°毎に周期的に繰り返されることになる。従って、以降の説明においては、上蓋部２０の移動範囲を、０°〜１０°に限定して説明することにする。
【００３４】
特に、上蓋部側ラチェット爪２１ｂを等間隔で配設した時の間隔を「基準間隔」と、その基準間隔からのズレ角を「偏差」と定義する時、上蓋部側ラチェット爪２１ｂのb1,b2,・・・,b8は、基準間隔を４５°（＝３６０°÷８）、その偏差を±３°として、８個の上蓋部側ラチェット爪２１ｂのb1,b2,・・・,b8に対し、偏差が個別に割り当てられている。本実施例では、上蓋部側ラチェット爪２１ｂのb1,b2,・・・,b8に対し、順に、−３°、０°、＋３°、０°、＋３°、０°、−３°、０°が個別に割り当てられている。その結果、上記ラチェット爪b1,b2,・・・,b8の実際の間隔（実間隔）は、上述した通り、４２°、４５°、４８°、４５°、４８°、４５°、４２°、４５°と不等間隔となっている。
【００３５】
ここで、上蓋部側ラチェット爪２１ｂの各ラチェット爪b1,b2,・・・,b8について、戻り方向に対する直近の本体部側ラチェット爪１１ｂの各ラチェット爪a1,a5,a10,a15,a19,a24,a28,a33に到る各距離を見てみると、２°、７°、５°、０°、８°、３°、５°、０°となっている。これを、小さい順に並べ変えると、０°、２°、３°、５°、７°、８°となり、上蓋部２０の移動範囲（または本体部側ラチェット爪１１ｂのラチェット爪間隔）である０°〜１０°の範囲に適度に分散されていることが分かる。なお、後述する通り、このように分散することにより、上蓋部側ラチェット爪２１ｂの各ラチェット爪b1,b2,・・・,b8の戻り量は、最大でも２°を超えないようになる。つまり、上記偏差及びその割り当てについて、各上蓋部側ラチェット爪２１ｂの直近の各本体部側ラチェット爪１１ｂに到る各距離が、０°〜１０°の範囲に適度に分散するように決定すれば、上蓋部側ラチェット爪２１ｂの戻り量（緩み量）を小さくすることができるようになる。
【００３６】
図１１のグラフは、上蓋部２０の締め付け方向（Ｘ）への移動量に対する、各上蓋部側ラチェット爪２１ｂの直近となる本体部側ラチェット爪１１ｂに到る距離（Ｙ）との相関関係を示している。
グラフの各実線は、各上蓋部側ラチェット爪２１ｂの直近の各本体部側ラチェット爪１１ｂまでの戻り距離を示している。また、グラフの各縦点線は、各上蓋部側ラチェット爪２１ｂの直近となる本体部側ラチェット爪１１ｂが各縦点線を境に切り替わることを示している。例えば、上蓋部側ラチェット爪２１ｂのb1について見ると、上蓋部２０の締め付け方向への移動量が０°〜８°の間は、本体部側ラチェット爪１１ｂのa1が直近のラチェット爪となり、上蓋部２０の移動量に対し２°を始点とし１対１の比例関係（Y=X、すなわち傾き45°）で増大する。他方、上蓋部２０の移動量が８°を超えると、本体部側ラチェット爪１１ｂのa2が直近のラチェット爪となり、始点が０°にリセットされそこから１対１の比例関係で再び増大することを示している。
従って、上蓋部２０の実際の戻り量は、各上蓋部側ラチェット爪２１ｂの直近の各本体部側ラチェット爪１１ｂに到る各距離のうちで一番小さい値に支配されることになる。なぜならば、一番小さい値（最小値）に対応する上蓋部側ラチェット爪２１ｂが必ず最初に何れかの本体部側ラチェット爪１１ｂに当たる（ぶつかる）ようになるからである。
【００３７】
すなわち、上蓋部２０の移動量が０°〜２°の場合は、上蓋部側ラチェット爪２１ｂのb4,b8と本体部側ラチェット爪１１ｂのa15,a33の距離に支配され、上蓋部２０の移動量が２°〜３°の場合は、上蓋部側ラチェット爪２１ｂのb5と本体部側ラチェット爪１１ｂのa20の距離に支配され、上蓋部２０の移動量が３°〜５°の場合は、上蓋部側ラチェット爪２１ｂのb2と本体部側ラチェット爪１１ｂのa6の距離に支配され、上蓋部２０の移動量が５°〜７°の場合は、上蓋部側ラチェット爪２１ｂのb3,b7と本体部側ラチェット爪１１ｂのa11,a29の距離に支配され、上蓋部２０の移動量が７°〜８°の場合は、上蓋部側ラチェット爪２１ｂのb6と本体部側ラチェット爪１１ｂのa25の距離に支配され、上蓋部２０の移動量が８°〜１０°の場合は、上蓋部側ラチェット爪２１ｂのb１と本体部側ラチェット爪１１ｂのa2の距離に支配されることになる。グラフの各太線は、上蓋部２０の移動量に対する実際の戻り量をそれぞれ示している。このグラフから、上蓋部２０の実際の戻り量は２°を超えないことが分かる。従って、このグラフは、「上蓋部２０の実際の戻り量が２°を超えない」上蓋部側ラチェット爪２１ｂの配列の一例を示している。また、このグラフから、上蓋部２０の実際の戻り量を小さくするためには、直近の本体部側ラチェット爪１１ｂに到る距離が、低く折れ線状に傾き４５°で増大するようにすること、すなわち各上蓋部側ラチェット爪２１ｂの直近の各本体部側ラチェット爪１１ｂに到る各距離が、０°〜１０°の範囲に適度に分散すればよいことが分かる。本実施例では、５°を中心に両側に適度に分散されている。
【００３８】
なお、上蓋部側ラチェット爪２１ｂの基準間隔に偏差を何も設けない場合、すなわち、各上蓋部側ラチェット爪２１ｂの直近の本体部側ラチェット爪１１ｂに到る各距離を分散させない場合、上蓋部２０の戻り量は、上のグラフの上蓋部側ラチェット爪２１ｂのb4,b8のケースに相当し、最大でほぼ１０°になる。しかし、本発明のように、各上蓋部側ラチェット爪２１ｂの直近の本体部側ラチェット爪１１ｂに到る各距離を５°を中心に両側に適度に分散させることにより、上蓋部２０の戻り量は、最大でもほぼ２°と、小さくすることができる。
【００３９】
参考として、図１０は、上蓋部２０が図９の状態から９°だけ締め付け方向に移動した時の、上蓋部側ラチェット爪２１ｂおよび本体部側ラチェット爪１１ｂの各配列を示す展開図である。
この場合、上蓋部側ラチェット爪２１ｂの各ラチェット爪b1,b2,・・・,b8について、戻り方向に対する直近の本体部側ラチェット爪１１ｂの各ラチェット爪a2,a6,a11,a15,a20,a25,a29,a33に到る各距離は、１°、６°、４°、９°、７°、２°、４°、９°となり、従って、この場合の上蓋部２０の戻り量は、上蓋部側ラチェット爪２１ｂのb1と本体部側ラチェット爪１１ｂのa2との距離の１°となることが分かる。なお、このことは、図１１のグラフでＸ＝９°と太線の交点からも読み取ることができる。
【００４０】
このように、本体部側ラチェット爪１１ｂが等間隔θ°（例えば、１０°）で設けられている場合、上蓋部側ラチェット爪２１ｂの配列については、戻り方向に対する直近の各本体部側ラチェット爪１１ｂに到る各距離が、０°〜θ°（例えば、０°〜１０°）の範囲に適度に分散するように、偏差（例えば、±３°）を決定し、上蓋部側ラチェット爪２１ｂの基準間隔（例えば、４５°）に割り当てれば良いことになる。
【００４１】
なお、上蓋部側ラチェット爪２１ｂと本体部側ラチェット爪１１ｂとの関係を反転させた場合であっても、上蓋部側ラチェット爪２１ｂと本体部側ラチェット爪１１ｂとの相対関係は不変である。従って、本体部側ラチェット爪１１ｂの各ラチェット爪a1,a2,・・・,a36を上蓋部２０の内側天板に設け、一方、上蓋部側ラチェット爪２１ｂの各ラチェット爪b1,b1,b2,・・・,b8を本体部１０の外側天板に設けた場合であっても、上述した事項は当てはまることになる。また、上蓋部側ラチェット爪２１ｂと本体部側ラチェット爪１１ｂの各個数が同じである場合も上述した事項は同様に当てはまることになる。
【００４２】
このように、数の少ないラチェット爪（本実施例では、上蓋部側ラチェット爪２１ｂ）を等間隔（基準間隔）で配列し、直近である数の多いラチェット爪（本実施例では、本体部側ラチェット爪１１ｂ）までの距離が、数の多いラチェット爪の間隔内（本実施例では１０°）に適度に分散する（本実施例では１０°の中間値である５°を中心として両側に０°、２°、３°、５°、７°、８°となる）ように、偏差（本実施例では±３°）を決定し、各基準間隔に割り当てることにより、上蓋部２０を回転させて保持対象植物を一旦締め付けた時、上蓋部２０（上部ラチェット爪）の戻り量（緩み量）を小さくすることが可能となる。なお、各偏差の総和はゼロになるように設定しなければならない。
【００４３】
また、別の見方をすれば、ラチェット爪数の多い側が少ない側の倍数にならないように均一な間隔で配置する、もしくはラチェット数爪が同じでも間隔を不均一にすることで上蓋の戻り量を小さくすることができる。
【産業上の利用可能性】
【００４４】
本発明の植物保持具１００は、土砂崩れ等の山間部を再緑化させる事業分野に対し好適に適用することが可能である。
【符号の説明】
【００４５】
１０      本体部
１１      天板部
１１a     第１挿入穴
１１b     本体部側ラチェット爪
１２a     本体上溝部
１２b     スリット
１２c     本体下溝部
１２d     補強リブ
２０      上蓋部
２１      天壁部
２１a     第２挿入穴
２１b     上蓋部側ラチェット爪
２２      上蓋筒壁部
２２a     上蓋突起部
３０      固定リング
３１      周状突起部
４０      おもり部
４０a     内部スペース
５０      植物
６０      土壌
１００    植物保持具
【図１】
0005692748.tif 000002
【図２】
0005692748.tif 000003
【図３】
0005692748.tif 000004
【図４】
0005692748.tif 000005
【図５】
0005692748.tif 000006
【図６】
0005692748.tif 000007
【図７】
0005692748.tif 000008
【図８】
0005692748.tif 000009
【図９】
0005692748.tif 000010
【図１０】
0005692748.tif 000011
【図１１】
0005692748.tif 000012